(57)【要約】      （修正有）【課題】園芸用施設の形状や大きさに合わせて、カーテンの幅を現地で簡単に調整することの可能な園芸用施設のカーテン開閉装置を提供する。【解決手段】園芸用施設１０のカーテン開閉装置１００は、山形の移動フレーム１１０と、移動フレーム１１０を支持し園芸用施設の奥行方向に案内する支持手段１２０と、移動フレーム１１０に連結され、移動フレーム１１０が支持手段１２０に沿って案内されることで、園芸用施設の奥行方向に沿って開閉するカーテン１３０と、を備え、移動フレーム１１０は、ベースフレームと、ベースフレームに相対移動可能に連結される補助フレームとを備え、カーテン１３０は、各移動フレーム１１０のベースフレーム及び補助フレームにそれぞれ連結される。【選択図】図１
2017055678.tif 000002
【特許請求の範囲】
【請求項１】
園芸用施設のカーテン開閉装置であって、
山形の移動フレームと、
前記移動フレームを支持し園芸用施設の奥行方向に案内する支持手段と、
前記移動フレームに連結され、前記移動フレームが前記支持手段に沿って案内されることで、前記園芸用施設の奥行方向に沿って開閉するカーテンと、
を備え、
前記移動フレームは、ベースフレームと、前記ベースフレームに相対移動可能に連結される補助フレームとを備え、
前記カーテンは、前記ベースフレーム及び前記補助フレームにそれぞれ連結されることを特徴とする、園芸用施設のカーテン開閉装置。
【請求項２】
前記ベースフレームは、山形の形状をなし、山形の傾斜角度が可変であることを特徴とする、請求項１に記載の園芸用施設のカーテン開閉装置。
【請求項３】
前記補助フレームに対する前記カーテンの連結位置が可変であることを特徴とする、請求項１又は２に記載の園芸用施設のカーテン開閉装置。
【請求項４】
前記補助フレームには、前記カーテンが係合される係合部が設けられ、
前記係合部は前記補助フレームの長手方向に摺動可能であることを特徴とする、請求項１〜３のいずれかに記載の園芸用施設のカーテン開閉装置。
【請求項５】
前記支持手段に対する前記補助フレームの支持位置が可変であることを特徴とする、請求項１〜４に記載の園芸用施設のカーテン開閉装置。
【発明の詳細な説明】
【技術分野】
【０００１】
本発明は、園芸用施設のカーテン開閉装置に関する。
【背景技術】
【０００２】
従来の園芸用施設のカーテン開閉装置としては、特開２０１４−５７５６７号公報（特許文献１）に示されるものがある。これに示されるものは、互いに対向する一対の側壁と一対の側壁の上端同士を繋ぐ屋根が奥行方向に延長されたハウス本体の内側において、屋根に沿ってカーテンを設けたものである。カーテンは奥行方向に延長されている支持部にて支持されて奥行方向に沿って開閉するように構成されている。
【０００３】
カーテンの支持部は一対の側壁の対向方向である幅方向に３本以上並べて設けられており、側壁から離れるほどカーテンの高さが高くなる。また、カーテンは、奥行方向の各自由端において、少なくとも一対の側壁の対向方向の両端間を連結する棒状の芯材を有しており、芯材が支持部に沿って奥行方向に移動することにより開閉する。
【０００４】
このような構成により、特許文献１に示されるものは、カーテンが、支持部に沿って奥行方向に開閉するように構成されているので、全開状態のカーテンによる日射量の低下を抑制できる。
【０００５】
また、カーテンは、支持部によって、ハウスの幅方向における中央部ほど高い位置に支持されることになるため、ハウス本体内で立って作業するユーザの邪魔になりにくい。さらに、カーテンは、妻壁の幅方向における中央部で且つ上端部付近に設けられているファンとの干渉を避けることができるので、ファンによって生じる空気流の妨げとなることを回避できる。
【０００６】
また、カーテンの自由端に設けられた棒状の芯材の両端部を同時に移動させることができるため、カーテンの自由端の両端が奥行方向に一斉に移動し、幅方向においてカーテンの開度のばらつきを抑制できる。
【先行技術文献】
【特許文献】
【０００７】
【特許文献１】特開２０１４−５７５６７号公報
【発明の概要】
【発明が解決しようとする課題】
【０００８】
しかしながら、一般的に園芸用施設はその形状、大きさが様々で、その形状や大きさに合わせたカーテンが必要になる。特許文献１に示される園芸用施設のカーテン開閉装置では、園芸用施設の形状、大きさが様々でも、ハウス本体に設けられる支持部とカーテンに設けられる芯材との間隔の変化はある程度は許容される。しかし、支持部と芯材との間隔が許容範囲を超えてしまうと取り付けできない場合がある。さらに、カーテンの自由端に設けられた芯材の長さについては、切断は可能であっても伸長させることはできず、現地での調整が難しいという問題があった。
【０００９】
本発明は、上記背景技術が有する問題に鑑みてなされたもので、その目的とするところは、園芸用施設の形状や大きさに合わせて、カーテンの幅を現地で簡単に調整することの可能な園芸用施設のカーテン開閉装置を提供することにある。
【課題を解決するための手段】
【００１０】
上記課題を解決するために、本発明によれば、園芸用施設のカーテン開閉装置であって、山形の移動フレームと、前記移動フレームを支持し園芸用施設の奥行方向に案内する支持手段と、前記移動フレームに連結され、前記移動フレームが前記支持手段に沿って案内されることで、前記園芸用施設の奥行方向に沿って開閉するカーテンと、を備え、前記移動フレームは、ベースフレームと、前記ベースフレームに相対移動可能に連結される補助フレームとを備え、前記カーテンは、前記ベースフレーム及び前記補助フレームにそれぞれ連結されることを特徴とする、カーテン開閉装置が提供される。
【００１１】
かかる構成によれば、移動フレームの補助フレームがベースフレームの端部に相対移動可能に連結されるため、ベースフレームに対する補助フレームの連結長さを変更することで、移動フレーム自体の長さを変更することができる。これにより、園芸用施設の形状や大きさに合わせて、現地で補助フレームの長さを変えることで、移動フレームを支持手段に吊り下げ可能な適切な長さに設定することができる。よって、カーテンの幅を現地で簡単に調整することができる。
【００１２】
また、園芸用施設の形状や大きさに合わせて移動フレームの長さを変更できるため、カーテンの幅を変更できる。よって、カーテンによって施設内を効率よく遮蔽することができる。
【００１３】
また、本発明の応用例として、前記ベースフレームは、山形の形状をなし、山形の傾斜角度が可変であるようにしてもよい。このように、ベースフレームの傾斜角度を可変にすることにより、補助フレームの角度が変更されるため、補助フレームと支持手段との間隔を調整することができる。
【００１４】
さらに、前記補助フレームに対する前記カーテンの連結位置が可変であるようにしてもよい。このような構成にすることにより、補助フレームの長さを長くしたときにカーテンの幅が足りなくなった場合や、補助フレームの長さを短くしたときにカーテンの幅が余ってしまっても、カーテンの適宜箇所を補助フレームに連結して対応することができる。
【００１５】
また、前記補助フレームには、前記カーテンが係合される係合部が設けられ、前記係合部は前記補助フレームの長手方向に摺動可能であるようにしてもよい。このように、係合部は補助フレームの長手方向に摺動可能であるため、補助フレームの長さを変更しても、係合部の位置を適宜調整することで、係合部をカーテンに設けられる係合部と連結させることができる。
【００１６】
さらに、前記支持手段に対する前記補助フレームの支持位置が可変であるようにしてもよい。例えば、補助フレームの長さを長くしたときのように、補助フレームの長さを変更すると、補助フレームの支持位置が支持手段から離れてしまう。しかし、補助フレームの長さの変更に対応して支持位置を変更することによって、補助フレームを支持手段に支持させることができる。
【発明の効果】
【００１７】
本発明によれば、園芸用施設のカーテン開閉装置において、園芸用施設の形状や大きさに合わせて、カーテンの幅を現地で簡単に調整することが可能である。本発明のその他の効果については、後述する発明を実施するための形態においても説明する。
【図面の簡単な説明】
【００１８】
【図１】カーテン開閉装置１００が用いられた園芸用施設１０のカーテンを閉じた状態における全体構成を示す斜視図である。
【図２】カーテン開閉装置１００が用いられた園芸用施設１０のカーテンを途中まで開いた状態における全体構成を示す斜視図である。
【図３】カーテン開閉装置１００が用いられた園芸用施設１０の全体構成を示す正面図である。
【図４】カーテン開閉装置１００が用いられた園芸用施設１０の全体構成を示す側面図である。
【図５】カーテン開閉装置１００が用いられた園芸用施設１０の全体構成を示す平面図である。
【図６】補助フレームの構造を示す斜視図である。
【図７】移動フレームの中央付近の構造を示す正面図である。
【図８】移動フレームの山形の角度を変更した状態を示す正面図である。
【図９】移動フレームの長さを長くした状態を示す正面図である。
【図１０】移動フレームの長さを短くした状態を示す正面図である。
【図１１】基準のサイズの園芸用施設にカーテン開閉手段を取り付けた正面図である。
【図１２】図１１のものよりもアーチの傾斜角度が大きい園芸用施設にカーテン開閉手段を取り付けた正面図である。
【図１３】図１２のものよりもさらにアーチの傾斜角度が大きい園芸用施設にカーテン開閉手段を取り付けた正面図である。
【図１４】カーテン開閉装置の動作を説明するための図である。
【図１５】カーテン開閉装置の動作を説明するための図である。
【図１６】本発明の第２の実施形態を示す図である。
【図１７】本発明の第３の実施形態を示す図である。
【発明を実施するための形態】
【００１９】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００２０】
（第１の実施形態）
本実施形態に係るカーテン開閉装置１００は、園芸用施設１０に取り付けられるものである。まず、本実施形態に係るカーテン開閉装置１００が用いられた園芸用施設１０の全体の構成について、図１及び図２を参照しながら説明する。図１は、カーテン開閉装置１００が用いられた園芸用施設１０のカーテンを閉じた状態における全体構成を示す斜視図である。図２は、カーテン開閉装置１００が用いられた園芸用施設１０のカーテンを途中まで開いた状態における全体構成を示す斜視図である。
【００２１】
園芸用施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００２２】
カーテン開閉装置１００は、図１及び図２に示したように、園芸用施設１０内に設けられる。カーテン開閉装置１００は、山形の移動フレーム１１０と、移動フレーム１１０を支持し園芸用施設１０の奥行方向に案内する支持手段１２０と、移動フレーム１１０に連結され、移動フレーム１１０が支持手段１２０に沿って案内されることで、園芸用施設１０の奥行方向に沿って開閉するカーテン１３０と、を備えて構成される。
【００２３】
移動フレーム１１０は、図１及び図２に示したように、園芸用施設１０の奥行方向に沿って複数設けられており、カーテン１３０は、各移動フレーム１１０間にわたって連結されている。なお、本実施形態では、移動フレーム１１０を複数設ける構成としたが、移動フレーム１１０は１つでもよい。また、カーテン１３０は、１つあるいは２つ以上の移動フレーム１１０に連結される構成であればよい。
【００２４】
以下、本実施形態のカーテン開閉装置１００の各構成要素について説明する。
【００２５】
（移動フレーム１１０）
移動フレーム１１０は、図３に示したように、主に、山形のベースフレーム１１２と、ベースフレーム１１２の両端部に相対移動可能に連結される補助フレーム１１４と、から構成される。移動フレーム１１０には、ベースフレーム１１２の下部に設けられる固定係合部１１７と、補助フレーム１１４の下部に設けられる可動係合部１１８によってカーテン１３０が取り付けられる。なお、固定係合部１１７及び可動係合部１１８については後に詳述する。
【００２６】
ベースフレーム１１２の山形の頂点の上部と、各補助フレーム１１４の上部に、後述する支持手段１２０のフック１２６に揺動自在に係止される係止部材１１６が設けられている。特に、補助フレーム１１４に設けられる係止部材１１６は、図６に示したように、補助フレーム１１４の上部に軸方向に形成される長尺の開口部１１４ａに沿って移動自在に設けられている。これにより、後述するように、園芸用施設１０の幅が変わり、移動フレーム１１０を伸縮させても、係止部材１１６を移動させることによって、支持手段１２０に移動フレーム１１０を支持させることができる。
【００２７】
また、図４中の左端部に配置される移動フレーム１１０には、支持手段１２０に沿って園芸用施設１０の奥行き方向に移動フレーム１１０を移動させるための操作手段２００が設けられている。操作手段２００は、各補助フレーム１１４に吊り下げられるチェーン２０２と、チェーン２０２によって揺動自在に両端が支持される操作フレーム２０４と、操作フレーム２０４の中心に設けられるグリップ２０６と、によって構成される。グリップ２０６を持って移動フレーム１１０を押したり、引っ張ったりすることにより、後述するように、移動フレーム１１０が園芸用施設１０の奥行き方向に移動する。
【００２８】
なお、本実施形態では、操作手段２００を図４中の左端部に配置される移動フレーム１１０に設けたが、操作手段２００が設けられる移動フレーム１１０は、この例に限定されない。例えば、図４中の右端部に配置される移動フレーム１１０に設けたり、両端部の移動フレーム１１０に設けたりするなど、適宜設計することができ、操作手段２００が設けられない端部側の移動フレーム１１０は、移動不能に固定してもよい。
【００２９】
次に、本実施形態の特徴的部分である、移動フレーム１１０の中央部分の構成について、図７〜図１０を参照しながら詳細に説明する。ベースフレーム１１２は、図７に示したように、主に、同じ形状に構成された２つのベースフレーム構成部材１１２ａ−１、１１２ａ−２から成る。各ベースフレーム構成部材１１２ａ−１、１１２ａ−２は、平板状の基端部１１２ｂ−１、１１２ｂ−２を備えた円筒状に構成されており、ベースフレーム１１２は、平板状の基端部１１２ｂ−１、１１２ｂ−２同士が連結部材１１２ｃで相対回転自在に連結されることによって構成されている。
【００３０】
なお、本実施形態では、ベースフレーム構成部材１１２ａ−１、１１２ａ−２の基端部１１２ｂ−１、１１２ｂ−２の形状を平板状としたが、この例に限定されない。すなわち、２つのベースフレーム構成部材１１２ａ−１、１１２ａ−２の基端部１１２ｂ−１、１１２ｂ−２は、回動自在に連結されていればよい。このため、例えば、一方のベースフレーム構成部材１１２ａの基端部１１２ｂを断面コ字状の形状とし、断面コ字状の内側に、他方のベースフレーム構成部材１１２ａの基端部１１２ｂを挿入し、回動自在に連結するようにしてもよい。
【００３１】
このような構成にすることにより、ベースフレーム１１２は、図８に示したように、２つのベースフレーム構成部材１１２ａ−１、１１２ａ−２によって形成する角度を変更することによって、山形の角度が自由に変更される。各ベースフレーム構成部材１１２ａ−１、１１２ａ−２の下部には、前述した固定係合部１１７が設けられており、固定係合部１１７を介してカーテン１３０が取り付けられる。なお、以下の説明において、ベースフレーム構成部材１１２ａ−１、１１２ａ−２を総称するときは、ベースフレーム構成部材１１２ａとする。また、基端部１１２ｂ−１、１１２ｂ−２を総称するときは、基端部１１２ｂとする。
【００３２】
ベースフレーム構成部材１１２ａの円筒状内１１２ｄには、図９に示したように、補助フレーム１１４の一端部１１４ｂが相対移動可能に挿入されている。補助フレーム１１４は、図９に示したように、一端部１１４ｂがベースフレーム構成部材１１２ａの端部近傍まで引き出された状態から、図１０に示したように、一端部１１４ｂがベースフレーム構成部材１１２ａの円筒状内１１２ｄの奥まで押し込まれた状態まで移動させることができる。
【００３３】
移動フレーム１１０は、図９に示したように、補助フレーム１１４の一端部１１４ｂがベースフレーム構成部材１１２ａの端部近傍まで引き出された状態において、最も延びた状態となる。一方、移動フレームは、図１０に示したように、補助フレーム１１４の一端部１１４ｂがベースフレーム構成部材１１２ａの円筒状内１１２ｄの奥まで押し込まれた状態において、最も縮んだ状態となる。ベースフレーム構成部材１１２ａと補助フレーム１１４はネジ１１９によって固定される。
【００３４】
補助フレーム１１４の下部には、図６に示したように、カーテン１３０が取り付けられる前述した可動係合部１１８が補助フレーム１１４に沿って摺動可能に設けられている。このため、補助フレーム１１４に対する可動係合部１１８の位置を自由に変更することができる。よって、カーテン１３０の幅が変化したり、補助フレーム１１４が伸縮したりしても、カーテン１３０を補助フレーム１１４の適切な位置に取り付けることができる。本実施形態では、可動係合部１１８と固定係合部１１７を同一の形状のものとしたが、異なる形状としてもよい。
【００３５】
（支持手段１２０）
次に、再び図１〜図５を参照しながら、支持手段１２０の構成を説明する。支持手段１２０は、図１〜図３に示したように、園芸用施設１０の３か所に設けられている母屋フレーム１４にそれぞれ１つずつ固定されている。支持手段１２０は、園芸用施設１０の奥行き方向に配設される長尺状のレール１２２と、レール１２２を走行するランナ１２４と、ランナ１２４から吊り下げられたフック１２６と、レール１２２と母屋フレーム１４とを固定する固定具１２８と、を備えて構成される。
【００３６】
レール１２２は、図４及び図５に示したように、母屋フレーム１４とほぼ同様の長さに構成されており、母屋フレーム１４に沿って、園芸用施設１０の奥行き方向に延びるように配置される。レール１２２は、長手方向の複数個所において、固定具１２８によって母屋フレーム１４に固定されている。
【００３７】
ランナ１２４は、図４に示したように、レール１２２に複数設けられており、レール１２２に沿って走行可能である。各ランナ１２４からはフック１２６が吊り下げられており、フック１２６は、移動フレーム１１０の係止部材１１６を揺動自在材に係止する。このようにして、レール１２２は、複数の移動フレーム１１０を支持する。よって、移動フレーム１１０は、レール１２２に沿って園芸用施設１０の奥行き方向に移動する。
【００３８】
（カーテン１３０）
再び、図３〜図６を参照しながら、カーテン１３０の構成を説明する。カーテン１３０は、図３に示したように、移動フレーム１１０に取り付けられるが、移動フレーム１１０の形状に沿って、移動フレーム１１０の幅全体にわたって取り付けられる。また、カーテン１３０の長さは、図４に示したように、レール１２２の長手方向ぼぼ全長にわたり、各移動フレーム１１０間を渡るように取り付けられている。
【００３９】
カーテン１３０には、これを広げた状態において、各移動フレーム１１０の固定係合部１１７及び可動係合部１１８と対応する位置に、図６に示したように、固定係合部１１７及び可動係合部１１８に係合する被係合部１３２が設けられている。カーテン１３０の被係合部１３２と移動フレーム１１０の固定係合部１１７及び可動係合部１１８を係合することによって、カーテン１３０は、移動フレーム１１０に取り付けられる。
【００４０】
さらに、カーテン１３０は、図５に示したように、移動フレーム１１０の山形の頂点に対応する位置に複数のスリット１３４が形成されている。各スリット１３４は、隣り合う被係合部１３２の間に延びるように形成されている。
【００４１】
以上、カーテン開閉装置１００の構成について説明した。次に、移動フレーム１１０の作用について、図１１〜図１３を参照しながら説明する。ここでは、図１１に示す園芸用施設１０の形状を基準形とする。そして、基準形の園芸用施設１０とは形状が異なる園芸用施設を、図１２に示す園芸用施設２０、及び図１３に示す園芸用施設３０とする。
【００４２】
図１２に示す園芸用施設２０は、基準形のものよりもアーチフレーム２２のアーチ２２ａの傾斜角度が大きくなり、側壁２２ｂの間の幅が小さくなっている。また、図１３に示す園芸用施設３０は、園芸用施設２０のものよりもアーチフレーム３２のアーチ３２ａの傾斜角度が大きく、側壁３２ｂ間の幅が基準形の園芸用施設１０よりも大きくなっている。
【００４３】
これら３つの園芸用施設１０、２０、３０に用いられている移動フレーム１１０は同一のものであり、同一の移動フレーム１１０を、形状を変化させることによって、各園芸用施設１０、２０、３０に対応させることについて説明する。
【００４４】
（１）園芸用施設１０（図１１）
まず、移動フレーム１１０が基準形の園芸用施設１０に用いられる場合について説明する。図１１に示したように、移動フレーム１１０は、基準形の園芸用施設１０に用いられるとき、補助フレーム１１４の一端部１１４ｂが、ベースフレーム１１２の円筒状内１１２ｄの長手方向ほぼ中央位置まで挿入された状態となっている。このときの移動フレーム１１０の状態を基準形とする。
【００４５】
（２）園芸用施設２０（図１２）
次に、移動フレーム１１０が、基準形の園芸用施設１０よりもアーチフレーム２２のアーチ２２ａの傾斜角度が大きく、対向する側壁２２ｂの間の幅が小さい園芸用施設２０に用いられる場合について説明する。
【００４６】
図１２に示したように、移動フレーム１１０は、園芸用施設２０に用いられるとき、補助フレーム１１４の一端部１１４ｂが、ベースフレーム１１２の円筒状内１１２ｄにより挿入された状態となる。よって、移動フレーム１１０は、ベースフレーム１１２の基端部１１２ｂから補助フレーム１１４の他端部１１４ｄまでの長さが基準形のときよりも短くなる。また、ベースフレーム１１２は、基端部１１２ｂ−１、１１２ｂ−２同士が相対回転自在であるため、アーチ２２ａの傾斜角度に応じて山形の角度が基準型のときよりも鋭角に変化する。
【００４７】
このように、移動フレーム１１０は、幅が狭くなり、山形の角度が鋭角に変化する。よって、移動フレーム１１０は、基準形の園芸用施設１０よりもアーチ２２ａの傾斜角度が大きく、対向する側壁２２ｂの間の幅が小さい園芸用施設２０に対応することができる。
【００４８】
（３）園芸用施設３０（図１３）
次に、移動フレーム１１０が、園芸用施設２０よりもアーチフレーム３２のアーチ３２ａの傾斜角度が大きく、基準形の園芸用施設１０よりも対向する側壁３２ｂの間の幅が大きい園芸用施設３０に用いられる場合について説明する。
【００４９】
図１３に示したように、移動フレーム１１０は、園芸用施設３０に用いられるとき、補助フレーム１１４の一端部１１４ｂが、ベースフレーム１１２の円筒状内１１２ｄから引き出された状態となる。よって、移動フレーム１１０は、ベースフレーム１１２の基端部１１２ｂから補助フレーム１１４の他端部１１４ｄまでの長さが、基準形のときよりも長くなる。また、ベースフレーム１１２は、基端部１１２ｂ−１、１１２ｂ−２同士が相対回転自在であるため、アーチ３２ａの傾斜角度に応じて山形の角度が園芸用施設２０のときよりも鋭角に変化する。
【００５０】
このように、移動フレーム１１０は、幅が広くなり、山形の角度が鋭角に変化する。よって、移動フレーム１１０は、園芸用施設２０よりもアーチ３２ａの傾斜角度が大きく、基準形の園芸用施設１０よりも側壁３２ｂ間の幅が大きい園芸用施設３０に対応することができる。
【００５１】
このように、移動フレーム１１０は、ベースフレーム１１２に対して補助フレーム１１４が相対移動可能であるため、幅を自在に変化させることができるとともに、山形の角度も自在に変更することができるため、園芸用施設１０の形状が変化しても、同一の移動フレーム１１０で対応することができる。
【００５２】
ベースフレーム１１２の基端部１１２ｂから補助フレーム１１４の他端部１１４ｄまでの長さが、基準形のときよりも長くなったとき、移動フレーム１１０の長さに対するカーテン１３０の長さが足りなくなっても、補助フレーム１１４に対するカーテン１３０の連結位置を移動させることで対応することができる。同様に、ベースフレーム１１２の基端部１１２ｂから補助フレーム１１４の他端部１１４ｄまでの長さが、基準形のときよりも長くなったとき、支持手段１２０と補助フレーム１１４との連結位置の距離が離れても、補助フレーム１１４に沿って係止部材１１６を移動させて、連結位置を補助フレーム１１４の他端部１１４ｄ付近まで移動させることで対応することができる。
【００５３】
以上、移動フレーム１１０の作用について説明した。次に、カーテン開閉装置１００の動作について、図１４及び図１５を参照しながら説明する。図１４は、カーテン１３０を開ける動作を示し、図１５はカーテン１３０を閉じる動作を示す。
【００５４】
（カーテン開閉装置１００の動作）
まず、図１４を参照しながら、カーテン１３０を開ける動作について説明する。図１４（ａ）中左端部に配置されている移動フレーム１１０−１の操作手段２００のグリップ２０６を持って、移動フレーム１１０−１を図１４中の右方向に押していく。これにより、左端部の移動フレーム１１０−１に連結されている左端部のランナ１２４が、レール１２２に沿って図１４中の右方向に移動していく。左端部の移動フレーム１１０−１のランナ１２４がこれの右隣りの移動フレーム１１０−２のランナ１２４に当接すると、両移動フレーム１１０−１、１１０−２が一体に移動していく。
【００５５】
このように、左端部の移動フレーム１１０−１が右方向に移動していくにつれて、これよりも右側に配置されている移動フレーム１１０は、順次一体に移動していく。よって、図１４（ｂ）に示したように、各移動フレーム１１０が順次移動して、カーテン１３０を畳み込んでいく。そして、図１４（ｃ）に示したように、全ての移動フレーム１１０がレール１２２の右端部に移動すると、カーテン１３０が完全に畳み込まれる。このようにして、カーテン１３０が開けられる。
【００５６】
次に、図１５を参照しながら、カーテン１３０を閉じる動作について説明する。図１５（ａ）中左端部に配置されている移動フレーム１１０の操作手段２００のグリップ２０６を持って、移動フレーム１１０を図中左方向に引っ張っていく。これにより、左端部の移動フレーム１１０に連結されている左端部のランナ１２４が、レール１２２に沿って図中左方向に移動していく。図１５（ｂ）に示したように、左端部の移動フレーム１１０とこれの右隣りの移動フレーム１１０との間のカーテン１３０が完全に展開すると、右隣りの移動フレーム１１０は、カーテン１３０に引っ張られて、左端部の移動フレーム１１０と一体に移動していく。
【００５７】
この後、左端部の移動フレーム１１０の移動を継続することによって、この動作が順次繰り返される。そして、左端部の移動フレーム１１０がレール１２２の左端部まで移動すると、図１５（ｃ）に示したように、カーテン１３０が完全に展開する。このようにして、カーテン１３０が閉じられる。
【００５８】
（第１の実施形態の効果）
以上説明したように、本実施形態によれば、移動フレーム１１０の補助フレーム１１４がベースフレーム１１２の端部に相対移動可能に連結されるため、ベースフレーム１１２に対する補助フレーム１１４の連結長さを変更することで、移動フレーム１１０自体の長さを変更することができる。これにより、園芸用施設１０の形状や大きさに合わせて、現地で補助フレーム１１４の長さを変えることで、移動フレーム１１０を支持手段１２０に吊り下げ可能な適切な長さに設定することができる。よって、カーテン１３０の幅を現地で簡単に調整することができる。
【００５９】
また、園芸用施設１０の形状や大きさに合わせてカーテン１３０の幅を変更できるため、カーテン１３０によって園芸用施設１０内を効率よく遮蔽することができる。
【００６０】
また、ベースフレーム１１２は、山形の形状をなし、山形の傾斜角度が可変であるため、ベースフレーム１１２の傾斜角度を可変にすることにより、補助フレーム１１４の角度が変更されるため、補助フレーム１１４と支持手段１２０との間隔を調整することができる。
【００６１】
さらに、補助フレーム１１４に対するカーテン１３０の連結位置が可変であるため、補助フレーム１１４の長さを長くしたときにカーテン１３０の幅が足りなくなった場合や、補助フレーム１１４の長さを短くしたときにカーテン１３０の幅が余ってしまっても、カーテン１３の適宜箇所を補助フレーム１１４に連結して対応することができる。
【００６２】
また、補助フレーム１１４にカーテン１３０が係合される可動係合部１１８が設けられ、可動係合部１１８は補助フレーム１１４の長手方向に摺動可能にしたことにより、補助フレーム１１４の長さを変更しても、可動係合部１１８の位置を適宜調整することで、可動係合部１１８をカーテン１３０に設けられる被係合部１３２と連結させることができる。
【００６３】
（第２の実施形態）
次に、本実施形態の第２の実施形態について、図１６を参照しながら説明する。本実施形態のカーテン開閉装置１００では、図１６に示したように、移動フレーム１１０は、上記実施形態のものよりもベースフレーム１１２の長さが長くなっており、ベースフレーム１１２が長くなった分補助フレーム１１４の長さが短くなったものである。
【００６４】
（第２の実施形態の効果）
このように、本実施形態のカーテン開閉装置１００では、ベースフレーム１１２の長さを長くすることで、ベースフレーム１１２の先端部１１２ｆが園芸用施設１０の両サイドにより近づく。このため、ベースフレーム１１２の先端部１１２ｆの高さが低くなるので、移動フレーム１１０の長さ調整のための作業を行う位置が低くなるとともに、ベースフレーム１１２の先端部１１２ｆが支持手段１２０に近づくため、補助フレーム１１４を支持手段１２０に対して連結する作業を行うときに、同時に移動フレーム１１０の長さを調整することができる。よって、移動フレーム１１０の長さ調整が容易になる。
【００６５】
（第３の実施形態）
次に、本実施形態の第３の実施形態について、図１７を参照しながら説明する。本実施形態のカーテン開閉装置１００では、図１７に示したように、カーテン１３０を移動方向の両端部のみ移動フレーム１１０に連結し、カーテン１３０の中間部分は、支持手段１２０のフック１２６に直接連結されるようにしたものである。
【００６６】
（第３の実施形態の効果）
このように、本実施形態のカーテン開閉装置１００では、カーテン１３０の中間部分をフック１２６に直接連結し、移動フレーム１１０を設けない構成としたことにより、コストダウンを図ることができる。
【００６７】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６８】
例えば、上記実施形態では、ベースフレーム１１２は、山形の形状をなし、山形の傾斜角度が可変である構成としたが、本発明は、この例に限定されない。例えば、ベースフレーム１１２の形状は、円弧状、直線状など、様々な形状とすることができる。また、山形の傾斜角度は固定とすることができる。
【００６９】
また、上記実施形態では、ベースフレーム１１２の傾斜角度を可変にすることにより、補助フレーム１１４の角度が変更される構成としたが、傾斜角度は変更した任意の角度で固定としても、単に傾斜角度が可変となるように揺動可能としてもよい。揺動可能とした場合には、ベースフレーム１１２及び補助フレーム１１４を支持部材１２０に対して連結する作業を行うと、ベースフレーム１１２の傾斜角度が自動的に設定されるようになる。
【００７０】
また、上記実施形態では、補助フレーム１１４に対するカーテン１３０の連結位置が可変である構成としたが、この例に限定されず、固定でもよい。
【００７１】
また、上記実施形態では、補助フレーム１１４には、カーテン１３０が係合される可動係合部１１８が設けられ、可動係合部１１８は補助フレーム１１４の長手方向に摺動可能である構成としたが、これに限定されない。例えば、可動係合部１１８は、補助フレーム１１４の長手方向に摺動するのではなく、長手方向の複数箇所に設けられているようにしてもよい。
【符号の説明】
【００７２】
１０、２０、３０  園芸用施設
１２  アーチフレーム
１４  母屋フレーム
２２  アーチフレーム
２２ａ  アーチ
２２ｂ  側壁
３２  アーチフレーム
３２ａ  アーチ
３２ｂ  側壁
１００  カーテン開閉装置
１１０、１１０−１、１１０−２、・・・  移動フレーム
１１２  ベースフレーム
１１２ａ、１１２ａ−１、１１２ａ−２  ベースフレーム構成部材
１１２ｂ、１１２ｂ−１、１１２ｂ−２  基端部
１１２ｃ  連結部材
１１２ｄ  円筒状内
１１２ｆ  先端部
１１４  補助フレーム
１１４ａ  開口部
１１４ｂ  一端部
１１４ｄ  他端部
１１６  係止部材
１１７  固定係合部
１１８  可動係合部
１１９  ネジ
１２０  支持手段
１２２  レール
１２４  ランナ
１２６  フック
１２８  固定具
１３０  カーテン
１３２  被係合部
１３４  スリット
２００  操作手段
２０２  チェーン
２０４  操作フレーム
２０６  グリップ
【図１】
2017055678.tif 000003
【図２】
2017055678.tif 000004
【図３】
2017055678.tif 000005
【図４】
2017055678.tif 000006
【図５】
2017055678.tif 000007
【図６】
2017055678.tif 000008
【図７】
2017055678.tif 000009
【図８】
2017055678.tif 000010
【図９】
2017055678.tif 000011
【図１０】
2017055678.tif 000012
【図１１】
2017055678.tif 000013
【図１２】
2017055678.tif 000014
【図１３】
2017055678.tif 000015
【図１４】
2017055678.tif 000016
【図１５】
2017055678.tif 000017
【図１６】
2017055678.tif 000018
【図１７】
2017055678.tif 000019